(57)【特許請求の範囲】
【請求項１】
受信モードとして、ワンセグメント放送を受信する通常ワンセグ受信モードと、ワンセグ連結送信放送又はセグメント分離放送を受信するセグメント受信モードとを切り替える受信モード切替部と、
放送局から送信されるデジタル放送波を受信する受信部と、
前記受信部により受信された前記デジタル放送波から、前記受信モードに基づいて番組を選局する選局部と、
を備えたデジタル放送受信装置であって、
前記受信モード切替部は、前記デジタル放送波に含まれる、ＰＳＩ／ＳＩを解析し、当該デジタル放送がワンセグ連結放送又はセグメント分離放送である場合には、前記受信モードをセグメント受信モードに切り替えることを特徴とするデジタル放送受信装置。
【請求項２】
前記選局部は、前記受信モードが通常ワンセグメント受信モードの場合には、前記デジタル放送波から番組をチャンネル単位で選局し、前記受信モードがセグメント受信モードの場合には、前記デジタル放送波から番組をセグメント単位で選局することを特徴とする請求項１に記載のデジタル放送受信装置。
【請求項３】
前記受信モード切替部は、セグメント受信モードの際に、前記デジタル放送波が受信できなくなった場合は、前記受信モードを通常ワンセグモードに切り替えることを特徴とする請求項１又は２に記載のデジタル放送受信装置。
【請求項４】
前記受信モード切替部は、視聴者からの操作入力に応じて、通常ワンセグ受信モードと、セグメント受信モードとを切り替えることを特徴とする請求項１に記載のデジタル放送受信装置。
【請求項５】
前記受信モードに応じて、番組を選局するためのユーザーインターフェースを提供するユーザーインターフェース提供部を更に備えることを特徴とする請求項１から４のいずれか一項に記載のデジタル放送受信装置。
【請求項６】
受信モードとして、ワンセグメント放送を受信する通常ワンセグ受信モードと、ワンセグ連結送信放送又はセグメント分離放送を受信するセグメント受信モードとを切り替える受信モード切替部と、
放送局から送信されるデジタル放送波を受信する受信部と、
前記受信部により受信された前記デジタル放送波から、前記受信モードに基づいて番組を選局するためのユーザーインターフェースを提供するユーザーインターフェース提供部と、
を備えたデジタル放送受信装置であって、
前記受信モード切替部は、前記デジタル放送波に含まれる、ＰＳＩ／ＳＩを解析し、当該デジタル放送がワンセグ連結放送又はセグメント分離放送である場合には、前記受信モードをセグメント受信モードに切り替え、
前記ユーザーインターフェース提供部は、前記受信モード切替部が、前記受信モードを切り替えた場合には、ユーザーインターフェースも併せて切り替えて提供することを特徴とするデジタル放送受信装置。
【請求項７】
複数の操作キーを有する操作部と、
前記操作キーに対応して、前記受信モードが通常ワンセグモード時における動作と、前記受信モードがセグメント受信モード時における動作とをそれぞれ記憶する記憶部とを更に備え、
前記ユーザーインターフェース提供部は、前記受信モード切替部が、前記受信モードを切り替えた場合には、前記受信モードに対応する操作キーの動作を、前記記憶部から読み出し、設定することを特徴とする請求項６に記載のデジタル放送受信装置。
【発明の詳細な説明】
【技術分野】
【０００１】
本発明は、デジタル放送受信装置に関する。
【背景技術】
【０００２】
地上デジタル放送の１チャンネルの帯域は、１３のセグメントに分割されており、そのうちの中心周波数の１セグメントが携帯受信用となっており、残りの１２セグメントは固定受信用である（例えば、非特許文献１参照）。地デジワンセグ放送対応の放送受信装置は、この中心セグメントで放送されているＴＳ（トランスポートストリーム）を受信し、映像、音声、データ放送を提示するよう設計されている。
【０００３】
この放送受信装置の一例として、携帯端末向け地上デジタル放送を受信するワンセグ対応携帯電話等があげられる。従来の携帯電話には、選局のユーザーインターフェースとして、数字キーや左右キーを押下して所望の放送局を選択する機能や、左右キー長押下等の特定の操作を行うことで、物理周波数順に受信可能な放送局をサーチし、受信可能な放送を視聴者に提示する機能が備わっている。従来の携帯端末向け地上デジタル放送を受信するワンセグ対応携帯電話は、携帯受信用のワンセグメントのみを受信することを想定しているため、選局時にチューナーが受信する物理周波数は、中心セグメント（セグメント０）に合わせられる。
【０００４】
近年、地上デジタル放送の１チャンネルの中心セグメント以外のセグメントで、ワンセグの放送を行う放送方式が提案されている（例えば、非特許文献２、非特許文献３参照）。これらに対応して中心セグメント以外の携帯受信向け放送を受信する放送受信装置（携帯電話）には、従来の放送受信装置にはない選局のユーザーインターフェースが必要となる。
【０００５】
ここで、ひとつの送信機から、１３セグメントの全て、又は複数のセグメントでワンセグ放送が行われる放送をワンセグ連結送信放送、複数の送信機から、同じチャンネルの重複しないセグメントで、ひとつ、又は複数のワンセグ放送が行われる放送をセグメント分離放送、ワンセグ連結送信放送やセグメント分離放送において、各セグメントで放送されているワンセグ放送を狭帯域ワンセグ放送、任意のセグメントで放送されている狭帯域ワンセグ放送を受信可能な受信装置を任意セグメント放送受信装置と呼ぶ。
【非特許文献１】ワンセグサービス、[online]、ＮＴＴドコモ、インターネット＜http://www.nttdocomo.co.jp/service/music_movie/1seg/＞
【非特許文献２】土田健一、ワンセグ連結再送信装置の開発、[online]、ＮＨＫ放送技術研究所、インターネット＜http://www.nhk.or.jp/strl/publica/giken_dayori/jp2/rd-0702-2.html＞
【非特許文献３】ワンセグエリアポータル放送、[online]、エリアポータル株式会社、インターネット＜http://www.areaportal.co.jp/pdf/wtp2006/wtp_2006.pdf＞
【発明の開示】
【発明が解決しようとする課題】
【０００６】
上述のように、従来の放送受信装置は、通常のワンセグ放送を受信する受信モードと、任意のセグメント放送を受信する受信モードは別々である。そのため、各放送を受信するためには、受信モードをその都度切り替える必要が有り、利便性が低かった。
【０００７】
また、受信エリアによって、任意のセグメント放送が受信可能な場所でも、通常のワンセグ放送を受信中の場合、任意のセグメント放送が受信可能か否かは解らず、一々切り替えて確認する必要が有った。また、任意のセグメント放送が受信圏外になった場合も、視聴者がその都度通常のワンセグ放送に切り替える必要が有った。
【０００８】
更に、任意のセグメント放送を利用する狭帯域ワンセグ放送選局のためのユーザーインターフェースが存在しないため、新たなユーザーインターフェースを搭載する必要が有る。ここで、例えば、受信する物理チャンネルとセグメント番号をそれぞれキー入力で指定するような方法では、選局のための操作が複雑になってしまうといった問題点があった。
【０００９】
上述した課題に鑑み、本発明が目的とするところは、視聴者が受信モードを切り替えることなく、自動的に適切な受信モードに切り替わることにより、選局動作等において利便性の高いデジタル放送受信装置を提供することである。
【課題を解決するための手段】
【００１０】
上述した課題を解決するために、本発明のデジタル放送受信装置は、受信モードとして、ワンセグメント放送を受信する通常ワンセグ受信モードと、ワンセグ連結送信放送又はセグメント分離放送を受信するセグメント受信モードとを切り替える受信モード切替部と、放送局から送信されるデジタル放送波を受信する受信部と、前記受信部により受信された前記デジタル放送波から、前記受信モードに基づいて番組を選局する選局部と、を備え、前記受信モード切替部は、前記デジタル放送波に含まれる、ＰＳＩ／ＳＩを解析し、当該デジタル放送がワンセグ連結放送又はセグメント分離放送である場合には、前記受信モードをセグメント受信モードに切り替えることを特徴とする。
【００１１】
また、本発明のデジタル放送受信装置において、前記選局部は、前記受信モードが通常ワンセグメント受信モードの場合には、前記デジタル放送波から番組をチャンネル単位で選局し、前記受信モードがセグメント受信モードの場合には、前記デジタル放送波から番組をセグメント単位で選局することを特徴とする。
【００１２】
また、本発明のデジタル放送受信装置において、前記受信モード切替部は、セグメント受信モードの際に、前記デジタル放送波が受信できなくなった場合は、前記受信モードを通常ワンセグモードに切り替えることを特徴とする。
【００１３】
また、本発明のデジタル放送受信装置において、前記受信モード切替部は、視聴者からの操作入力に応じて、通常ワンセグ受信モードと、セグメント受信モードとを切り替えることを特徴とする。
【００１４】
また、本発明のデジタル放送受信装置は、前記受信モードに応じて、番組を選局するためのユーザーインターフェースを提供するユーザーインターフェース提供部を更に備えることを特徴とする。
【００１５】
また、本発明のデジタル放送受信装置は、受信モードとして、ワンセグメント放送を受信する通常ワンセグ受信モードと、ワンセグ連結送信放送又はセグメント分離放送を受信するセグメント受信モードとを切り替える受信モード切替部と、放送局から送信されるデジタル放送波を受信する受信部と、前記受信部により受信された前記デジタル放送波から、前記受信モードに基づいて番組を選局するためのユーザーインターフェースを提供するユーザーインターフェース提供部と、を備え、前記受信モード切替部は、前記デジタル放送波に含まれる、ＰＳＩ／ＳＩを解析し、当該デジタル放送がワンセグ連結放送又はセグメント分離放送である場合には、前記受信モードをセグメント受信モードに切り替え、前記ユーザーインターフェース提供部は、前記受信モード切替部が、前記受信モードを切り替えた場合には、ユーザーインターフェースも併せて切り替えて提供することを特徴とする。
【００１６】
また、本発明のデジタル放送受信装置は、複数の操作キーを有する操作部と、前記操作キーに対応して、前記受信モードが通常ワンセグモード時における動作と、前記受信モードがセグメント受信モード時における動作とをそれぞれ記憶する記憶部とを更に備え、前記ユーザーインターフェース提供部は、前記受信モード切替部が、前記受信モードを切り替えた場合には、前記受信モードに対応する操作キーの動作を、前記記憶部から読み出し、設定することを特徴とする。
【発明の効果】
【００１７】
本発明によれば、受信モードとして、ワンセグメント放送を受信する通常ワンセグ受信モードと、ワンセグ連結送信放送又はセグメント分離放送を受信するセグメント受信モードとを切り替える受信モード切替部を備え、受信されたデジタル放送波に含まれる、ＰＳＩ／ＳＩを解析し、当該デジタル放送がワンセグ連結放送又はセグメント分離放送である場合には、前記受信モードをセグメント受信モードに切り替えて番組を選局することとなる。したがって、視聴者が意識することなく、適切に通常ワンセグ受信モードと、セグメント受信モードとが切り替えて番組を選局することにより、適切な放送が受信されることとなる。
【００１８】
また、受信モードが通常ワンセグメント受信モードの場合には、前記デジタル放送波から番組をチャンネル単位で選局し、受信モードがセグメント受信モードの場合には、デジタル放送波から番組をセグメント単位で選局することとなる。したがって、視聴者は受信モードを意識することなく、現在の受信モードに応じて選局を行うことができる。
【００１９】
また、本発明によれば、セグメント受信モードの際に、前記デジタル放送波が受信できなくなった場合は、前記受信モードを通常ワンセグモードに切り替えることとなる。したがって、セグメント受信モードが受信できなくなった場合、視聴者が切替動作することなく、通常ワンセグモードに切り替わることとなる。
【００２０】
また、本発明によれば、視聴者からの操作入力に応じて、通常ワンセグ受信モードと、セグメント受信モードとを切り替えることができる。
【００２１】
また、本発明によれば、受信モードに応じて、番組を選局するためのユーザーインターフェースを提供することとなる。したがって、視聴者は適切なユーザーインターフェースを利用でき、さらにユーザーインターフェースの変化により、現在どの受信モードで受信しているかを視認することが可能となる。
【００２２】
また、本発明によれば、デジタル放送波に含まれる、ＰＳＩ／ＳＩを解析し、当該デジタル放送がワンセグ連結放送又はセグメント分離放送である場合には、受信モードをセグメント受信モードに切り替え、ユーザーインターフェースも併せて切り替えることとなる。これにより、受信したデジタル放送に応じて適切に受信モードを切り替えることができ、更に、受信モードとユーザーインターフェースとが連動して切り替わることから、視聴者はどちらの受信モードで受信しているかを視認することができる。
【００２３】
また、本発明によれば、複数の操作キーを有する操作部と、操作キーに対応して、受信モードが通常ワンセグモード時における動作と、セグメント受信モード時における動作とをそれぞれ記憶しており、受信モードを切り替えた場合には、受信モードに対応する操作キーの動作を、記憶部から読み出して設定することができる。これにより、視聴者は受信モードに応じて適切なキー操作を行うことができることとなる。
【発明を実施するための最良の形態】
【００２４】
以下添付図面を参照しながら、本発明の実施の形態について説明し、本発明の理解に供する。尚、以下の実施の形態は、本発明を具体化した一例であって、本発明の技術的範囲を限定する性格のものではない。
【００２５】
〔実施の形態〕
本発明の一実施の形態について図に基づいて説明すれば、以下のとおりである。なお、本実施形態では、本発明のデジタル放送受信装置を携帯電話に適用した場合について説明する。
【００２６】
［１．第１実施形態］
［１．１  全体図］
図１は本発明のデジタル放送受信装置を適用した携帯電話１の概略図である。携帯電話１は液晶画面等からなる表示部６０と、入力部７０と、図示しない地上デジタル放送受信用アンテナと、携帯向け地上デジタル放送受信チューナーと、携帯向け地上デジタル放送受信装置とを有する。表示部６０は、地上デジタル放送の映像及び、データ放送を表示する。入力部７０は、視聴者が携帯電話の地上デジタル放送視聴操作を行う部分で、キー入力により、視聴開始／終了、選局、放送局サーチ等の操作を行う。
【００２７】
特に、本実施形態に係るキーとしては、キー長押しにより放送局サーチを行う方向キー７０２、キー短押しにより選局を行うテンキー７０４がある。本実施形態の携帯電話は、視聴者が所定のキー操作を行うと、前記地上デジタル放送受信チューナー、及び、携帯向け地上デジタル放送受信装置により、所望の放送局の映像／音声／データ放送を提示する。
【００２８】
［１．２  ブロック図］
図２は本実施形態の携帯電話１の基本構成を示すブロック図である。この携帯電話１は、携帯電話を制御する制御部１０と、無線部２０と、無線部２０に接続された通信用アンテナ２２と、携帯電話の通信を制御する通信制御部２５と、地上デジタル放送用のフロントエンド部３０と、フロントエンド部３０に接続された地上デジタル放送受信用アンテナ３２と、ワンセグ用バックエンド部３５と、通話時やテレビ視聴時の音声を出力するスピーカ４５と、スピーカ４５に音声を出力する音声復号部４０と、音声を入力するマイク５５と、マイク５５から入力された音声を符号化する音声符号化部５０と、地上デジタル放送の映像やデータ放送、放送局名や番組名等現在選局中のチャンネルの情報を表示する表示部６０と、視聴者からの入力を受け付ける入力部７０と、記憶部８０とを備えて構成されている。
【００２９】
制御部１０は、携帯電話１の制御を行う機能部であり、記憶されている各種プログラムを読み出して実行することにより、各処理を実現する機能部である。例えば、ＣＰＵ（Central Processing Unit）により構成されている。
【００３０】
無線部２０は、通信用アンテナ２２を介して電話基地局（不図示）と通信を行うことにより、各電話機能を提供する機能部である。無線部２０は、通信制御部２５により制御され、電話基地局と通信することとなる。なお、本発明と電話機能は直接関係がないため、その詳細な説明を省略する。
【００３１】
フロントエンド部３０は、地上デジタル放送受信用アンテナ３２から入力される地上デジタル放送の、各チャンネルの任意のセグメントを受信可能なチューナーと復調器から構成され、復調されたＴＳ（トランスポートストリーム）をワンセグ用バックエンド部３５に出力する。ワンセグ用バックエンド部３５は、入力されたＴＳから映像データや音声データ、番組選択に用いるデータであるＰＳＩ（Program Specific Information）セクション、番組の情報を示すＳＩ（Service Information）セクション、データ放送用のデータ等を分離する。
【００３２】
このうち、ＰＳＩ、ＳＩセクション、データ放送用のデータは制御部１０に入力され、制御部１０のソフトウェアで処理される。映像データ、音声データはワンセグ用バックエンド部３５でデコードされ、表示部６０およびスピーカ４５により、視聴者に映像／音声が提示される。
【００３３】
音声復号部４０は、通信制御部２５から入力された音声データや、ワンセグ用バックエンド部３５から入力された音声データを復号し、スピーカ４５に出力する機能部である。また、音声符号化部５０は、マイク５５から入力された音声を符号化し、通信制御部２５に出力する機能部である。
【００３４】
表示部６０は、携帯電話１における各種状態等を表示するための表示部である。また、フロントエンド部３０及びワンセグ用バックエンド部３５から入力された映像データを表示するための機能部である。なお、表示部６０は、例えばＬＣＤ（Liquid Crystal Display）等から構成されている。
【００３５】
入力部７０は、視聴者から操作・指示の入力を受け付ける機能部である。入力部７０には、図１に示したように方向キー７０２と、テンキー７０４とを含んで構成されている。なお、本実施形態においては、入力部７０はキー（ボタン）で構成されていることとして説明するが、例えばタッチパネル等他の手段により構成されていても良いことは勿論である。
【００３６】
記憶部８０は、携帯電話１の設定状態を記憶したり、各種データを保存したりするための機能部である。ここで、記憶部８０は、半導体メモリ、ハードディスクドライブ、光学式ドライブ等のいずれかの記憶装置により構成されている。また、記憶部８０には、ＴＳ識別情報８２と、チャンネルテーブル８４とが記憶されている。
【００３７】
ＴＳ識別情報８２は、受信されたＴＳの放送局等を識別するための情報が記憶されている。具体的には、図３に示すように、全国の地上デジタル放送局の、物理チャンネルと（例えば、「２２」）と、リモコンキー番号（例えば、「６」）と、network_id（地上デジタル放送の１送出マスターに対して割り当てられる、国内でユニークな１６bitのＩＤ）（例えば「０ｘ７ＦＥ３」）と、service_id（各サービスに割り当てられる１６bitのＩＤ、全国の地上デジタル放送においてユニーク）（例えば「０ｘ０５９８」）と、transport_stream_id（ＴＳに割り当てられる１６bitのＩＤ）（例えば「０ｘ７ＦＥ３」）と、ＴＳ名（ＴＳの名称、放送局名に相当する）（例えば「テレビＡＢＣ」）と、サービス名（サービスの名称）（例えば「テレビＡＢＣ−モバイル」）と、が対応づけて記憶されている。
【００３８】
ここで、network_idとtransport_stream_idは同一の値として運用されている。また、「ＡＲＩＢ  ＴＲ−Ｂ１４第七編  ９．各種数値割り当て一覧」に示されるように、ワンセグＴＳに含まれる各サービスに割り当てられるservice_idの上位１３ｂｉｔは、network_idと１対１の対応となる値で、下位３ｂｉｔはサービス番号に相当する。ワンセグＴＳの場合１ＴＳに含まれる最大サービス数は３なので、下位３ｂｉｔは０〜２の値をとる。
【００３９】
また、記憶部８０において、後述するワンセグ連結送信放送や、セグメント分離放送を行う放送局の、network_id等の識別情報が予め登録されることがある。
【００４０】
チャンネルテーブル８４は、携帯電話１におけるキー操作と、動作とを対応づけて記憶しているテーブルである。図８にチャンネルテーブル８４の一例を示す。なお、チャンネルテーブル８４の詳細については後述する。
【００４１】
［１．３  チャンネル構成］
つづいて、本実施形態における地上デジタル放送のチャンネル構成について、図４を用いて説明する。通常の地上デジタル放送のひとつのチャンネルは、図４（ａ）に示すように、約５．７MHzの帯域幅を持ち、この帯域を１３のセグメントに分割し、中央のセグメント（セグメント０）で携帯端末向けの放送（ワンセグ放送）が行われ、残りの１２セグメントで固定受信用の放送が行われている。
【００４２】
本実施形態において対象とする放送システムは、上述のワンセグ放送の放送システムに加えて、図４（ｂ）に示すような、ひとつの送信機から、１３セグメントの総て又は複数のセグメントでワンセグ放送が行われるワンセグ連結送信放送や、図４（ｃ）に示すような、複数の送信機から、同じチャンネルの重複しないセグメントで、ひとつ又は複数のワンセグ放送が行われるようなセグメント分離放送がある。図４（ｂ）、（ｃ）のような放送は、地下街や、競技場、駅周辺等の狭いエリアでの放送が想定されているもので、これらのエリアでは別のチャンネルで通常のワンセグ放送が受信可能な場合もある。
【００４３】
本実施形態では、図４（ｂ）、（ｃ）のようなワンセグ連結放送や、セグメント分離放送のあるチャンネルで、セグメント０のワンセグ放送を受信し、セグメント０のＰＳＩ／ＳＩ情報から、その放送がワンセグ連結送信放送又はセグメント分離放送と判断できた場合に、自動的にユーザーインターフェースをセグメント受信用のものに切り替える。また、ワンセグ連結送信放送又はセグメント分離放送の受信圏外となった場合に、自動的に通常ワンセグ受信用のユーザーインターフェースに切り替える。
【００４４】
ここで、端末がセグメント０のワンセグメント放送（通常のワンセグ放送）を選局時に受信し、通常ワンセグ受信用のユーザーインターフェースで動作している状態を「通常ワンセグ受信モード」と呼び、ワンセグ連結送信放送又はセグメント分離放送を選局時に受信し、ワンセグ連結送信放送又はセグメント分離放送用のユーザーインターフェースで動作している状態を「セグメント受信モード」と呼ぶ。通常ワンセグ受信モードでは、選局時にフロントエンド部３０に設定される物理周波数の単位はチャンネル単位であるのに対し、セグメント受信モードにおいては、設定される物理周波数の単位はセグメント単位となる。
【００４５】
［１．４  処理の流れ］
続いて、携帯電話１における処理の流れを、図５のフローチャートを用いて説明する。
【００４６】
電源投入後、視聴者からの所定のキー入力により制御部１０は、ワンセグ起動処理（ステップＳ１０）を行う。ワンセグ起動処理により、フロントエンド部３０、ワンセグ用バックエンド部３５が起動される。
【００４７】
次に、ワンセグ起動後、選局処理が行われるが、ここで制御部１０は、フロントエンド部３０への受信周波数の設定、ワンセグ用バックエンド部３５への、制御部１０が取得、解析するＴＳパケット種別の設定を行う。従来のワンセグ対応の携帯端末は、選局時にセグメント０の受信周波数をフロントエンド部に設定するが、本実施形態においても、受信機が通常のワンセグ放送も受信可能なため、ワンセグ起動直後の選局ではセグメント０の周波数を設定する（ステップＳ１２）。
【００４８】
次に、フロントエンド部３０に設定したチャンネルの中心セグメント（セグメント０）にワンセグの放送波が存在すれば、フロントエンド部３０から出力されたＴＳがワンセグ用バックエンド部３５に入力され、ワンセグ用バックエンド部３５で分離されたＴＳパケットのＰＳＩ／ＳＩパケットが制御部１０に入力される。中心セグメントにワンセグの放送波が存在せず、ワンセグ用バックエンド部３５へのＴＳの入力がない状態が一定時間続いた場合は、制御部１０は表示部６０に受信不可であることを視聴者に示す表示を行い、その後、視聴者からのキー入力に対応した処理を行う。
【００４９】
制御部１０は入力されたＰＳＩ／ＳＩを解析し（ステップＳ１４）、受信中の放送が通常のワンセグ放送か、ワンセグ連結送信放送又はセグメント分離放送であるかを判断する（ステップＳ１６）。ここでの判断は、例えばＰＳＩのひとつであるＮＩＴに含まれるnetwork_idにより行われる。以下、具体的に説明する。
【００５０】
図６に示すように、フロントエンド部３０が出力するＴＳは、固定長のＴＳパケットの集合であり、それぞれのＴＳパケットは、ヘッダ部に含まれるパケットＩＤにより映像、音声、ＰＳＩ／ＳＩ等のパケットに分類される。ＰＳＩパケットのひとつであるＮＩＴ（Network Information Table）には図６に示すように、network_idが含まれる。
【００５１】
制御部１０はワンセグ用バックエンド部３５に設定した種別のパケットを全て受信するが、このなかのＮＩＴから受信ＴＳのnetwork_idを抽出し、記憶部８０のＴＳ識別情報８２に登録されている全国の通常ワンセグ放送のnetwork_idと照合を行う。
【００５２】
通常ワンセグ放送のnetwork_idと一致するものがある場合、すなわち、受信したＰＳＩ／ＳＩが通常ワンセグ放送のものである場合は（ステップＳ１６；Ｎｏ）、そのまま通常ワンセグ受信モードの番組を表示する（ステップＳ１８）。通常ワンセグ受信モードの番組が表示されているときに、視聴者からキー入力により選局指示があった場合は、通常ワンセグ受信モードでの選局を行う処理に移行する（ステップＳ２０；選局→ステップＳ１２）。他方、終了のキー入力があった場合には（ステップＳ２０；終了）、ワンセグの終了処理を実行する（ステップＳ３４）。
【００５３】
ステップＳ１６において、通常ワンセグ放送のnetwork_idと一致するものがない場合は（ステップＳ１６；Ｙｅｓ）、特定エリアでの連結送信又はセグメント分離放送と判断し、ユーザーインターフェースをセグメント受信モードに切り替え、併せて選局ＵＩを変更する（ステップＳ２２）。
【００５４】
ここで、セグメント受信モードで受信圏外となった場合は（ステップＳ２４；Ｙｅｓ）、通常ワンセグ受信モードに切り替え、ユーザーインターフェースを通常ワンセグ受信モードに切替える（ステップＳ２６）。これは前述のように、ワンセグ連結放送やセグメント分離放送は地下街や、競技場、駅周辺等の狭いエリアでの放送が想定されているため、受信圏外となるのは、視聴者が、ワンセグ連結放送やセグメント分離放送の放送エリアから移動したことが原因である可能性が高いためで、この放送エリア外でも通常のワンセグ放送は受信可能であることが多いと予想されることから、受信圏外となったときに通常ワンセグ受信モードへの切替が行われる。
【００５５】
そして、ステップＳ２０に処理が移行し、視聴者からのキー入力を判定する（ステップＳ２０）。キー入力により選局指示があった場合は、通常ワンセグ受信モードでの選局を行う（ステップＳ２０；選局→ステップＳ１２）。
【００５６】
なお、一瞬受信圏外となってまたすぐ元の放送を受信できる場合にユーザーインターフェースの頻繁な切替が発生するのを防ぐために、受信圏外の判断は、フロントエンド部３０のチューナーが放送波を検知しない状態が一定時間連続する、ＴＳの中に一定時間間隔で配置されるＰＳＩ／ＳＩがワンセグ用バックエンド部３５に入力されない状態が一定時間連続する等により行われることとしてもよい。
【００５７】
この際、通常ワンセグ受信モードでの選局単位（フロントエンド部３０への設定周波数単位）はチャンネル単位であるので、セグメント０以外のセグメント受信中であった場合には、同じチャンネルのセグメント０に選局し直すことになる。
【００５８】
また、ワンセグ連結放送のセグメント０以外のセグメントを受信中に、通常ワンセグ受信モードに切り替える場合、現在受信中のセグメント０には放送波は存在しないので、視聴者に選局を促す情報を表示する等を行い、受信可能な通常ワンセグ放送に選局し直してもよい。
【００５９】
また、セグメント分離放送のセグメント０以外のセグメントを受信中に、通常ワンセグ受信モードに切り替える場合には、セグメント０では受信可能である可能性もあるため、上記のワンセグ連結放送受信のときのような選局を促す表示を行わずにセグメント０に選局し直すことになる。ここで、セグメント０でセグメント分離放送が受信可能だった場合、制御部１０は、受信したＰＳＩ／ＳＩを解析し（ステップＳ１４）、再びセグメント受信モードに切替えることとなる（ステップＳ２２）。
【００６０】
以上のように、セグメント０以外のセグメント受信中に受信圏外となった場合の処理は、ワンセグ連結放送受信時とセグメント分離放送受信時に異なる処理とすることもできるが、これは、受信中の放送がワンセグ連結放送か、セグメント分離放送であるかを受信中のＰＳＩ／ＳＩやその他の手段（例えば、物理チャンネル番号により、その放送がワンセグ連結放送かセグメント分離放送か予め分かっている場合等）により判断できる場合に限られる。
【００６１】
ステップＳ２４において、セグメント受信モードで受信圏外とならない場合は、そのままセグメント受信モードでの番組を表示する（ステップＳ２８）。そして、視聴者からのキー入力による選局指示があれば(ステップＳ３０；選局)、セグメント受信モードでの選局を行い（ステップＳ３２）、別セグメントでの番組を表示することとなる。
【００６２】
また、ステップＳ３０においてキー入力がない場合は（ステップＳ３０；キー入力なし）、ステップＳ２４に処理を戻して実行する。また、キー入力により終了の指示がなされた場合には（ステップＳ３０；終了）、フロントエンド部３０、ワンセグ用バックエンド部３５の終了処理を行う（ステップＳ３４）。
【００６３】
［１．５  動作例］
続いて、本実施形態における携帯電話１の動作例について図を用いて説明する。図７は本実施形態の携帯電話１における通常ワンセグ受信モード（図７（ａ））と、セグメント受信モード（図７（ｂ））の表示画面構成の一例を示す図である。
【００６４】
図７のように、本実施形態におけるワンセグ起動後の画面の主な構成要素は、ワンセグの映像を表示する映像表示領域Ｒ１００及びＲ２００、字幕およびデータ放送を表示する字幕／データ放送表示領域Ｒ１０２及びＲ２０２、受信中のＴＳのＴＳ名（放送局名）を表示する放送局名表示欄Ｒ１０４及びＲ２０４、受信中の物理チャンネル番号を表示する物理チャンネル番号表示欄Ｒ１０６及びＲ２０６、受信中のチャンネル番号を表示するチャンネル番号表示欄Ｒ１０８及びＲ２０８である。
【００６５】
このうち放送局名表示欄Ｒ１０４及びＲ２０４には、記憶部８０のＴＳ識別情報８２に予め登録されている放送局を選局する場合には、図５のステップＳ１２の選局処理を行った時点で、制御部１０がＴＳ識別情報８２から取得したＴＳ名を表示する。しかし、ワンセグ連結放送やセグメント分離放送の物理チャンネルや、ＴＳ名の情報がＴＳ識別情報８２に登録されていない場合は、当該受信物理チャンネルに相当するＴＳ名を制御部１０が取得することができないため、ステップＳ１２の選局処理の直後には放送局名は表示されないこととなる。
【００６６】
同様に、物理チャンネル番号表示欄Ｒ１０６及びＲ２０６には、受信中の物理チャンネル番号を表示する。尚、リモコンキー番号と、対応する物理チャンネルがＴＳ識別情報８２に登録されていない場合や、ユーザーが左右キーによる選局を物理チャンネル単位で行う指示を行った場合の、物理チャンネルの選局は、左右キーによる物理チャンネルのＵＰ／ＤＯＷＮ選局により行われる。
【００６７】
図７（ａ）は、通常ワンセグ受信モードでの画面構成の一例である。図５のワンセグ起動（ステップＳ１０）後、番組を表示（ステップＳ１８）したときの画面に相当する。受信する放送がワンセグ連結放送又はセグメント分離放送の場合は、映像表示領域Ｒ１００、字幕／データ放送表示領域Ｒ１０２、放送局名表示欄Ｒ１０４、チャンネル番号表示欄Ｒ１０８に当該受信チャンネルの内容が表示される前に図７（ｂ）のセグメント受信モードの画面構成に遷移する。
【００６８】
ここで、ワンセグ用バックエンド部３５が出力するワンセグ連結放送又はセグメント分離放送のＴＳに含まれるＰＳＩ／ＳＩのうちＮＩＴを制御部１０が解析し、ＮＩＴより取得するＴＳ名を放送局名表示欄Ｒ１０４に表示する。同時に受信ＴＳがワンセグ連結放送又はセグメント分離放送と判断できた場合は（ステップＳ１６；Ｙｅｓ）、選局モードをセグメント受信モードに切り替える。
【００６９】
セグメント受信モードでの画面構成は図７（ｂ）のように変化する。ここで制御部１０は、放送局名表示欄Ｒ２０４の表示形態を変更することにより、視聴者に選局モードが切り替わったことを明示する。なお、図７（ｂ）は、表示形態としてチャンネル名を「斜体」表示としているが、例えば文字色や背景色を変更したり、網がけ表示をしたり等でも良い。セグメント受信モードと通常ワンセグ受信モードでは、放送波により表示内容が決定する映像表示領域Ｒ１００及びＲ２００、字幕／データ放送領域Ｒ１０２及びＲ２０２以外の部分に対し、ユーザーが操作時に気づくような表示変更を行う。
【００７０】
また、チャンネル番号表示欄Ｒ２０８には受信中のセグメント番号（ここでは通常ワンセグ受信モードから切り替わった直後なので０）を表示する。このチャンネル番号表示欄Ｒ２０８には、セグメント受信モードでは受信中のセグメント番号が表示される。ここで、図７（ｂ）において、チャンネル番号ではなく、セグメント番号が表示されていることを報知するために、表示形態を変更している。なお、通常ワンセグ受信モードでも、セグメント受信モードでも受信する物理チャンネルは同一なので、物理チャンネル表示欄Ｒ２０６の表示に変化はない。
【００７１】
図５の受信圏外判断で受信圏外となった場合は（ステップＳ２４；Ｙｅｓ）、制御部１０が、選局モードを通常ワンセグ受信モードに切り替える。この場合、画面構成は図７（ｂ）から図７（ａ）に変更される。以上のように本実施形態では、２つのモードで、映像、データ放送表示部以外の表示形態を変更する、チャンネル番号表示部分に表示する情報を変える等、視聴者にどちらのモードで動作中かを明示するようにする。
【００７２】
なお、本実施形態ではセグメント受信モードにおけるチャンネル番号表示欄Ｒ２０８の表示をセグメント受信モード時には受信中のセグメント番号としているが、この欄に表示されるのは、ワンセグ連結放送やセグメント分離放送の受信エリア内でユニークな値であれば、各セグメントで放送されるＴＳのＮＩＴで指定されるリモコンキー番号のような番号でもよい。
【００７３】
ここで、携帯電話１のキー操作と、各受信モードの動作について、図８のチャンネルテーブル８４を用いて説明する。図８のチャンネルテーブル８４に記憶されているように各種キー操作による動作も変更する。図５のワンセグ起動（ステップＳ１０）後の各キーによる操作は図８における「通常ワンセグ受信モードでの動作」のように割り当てられ、視聴者が入力部７０に対して該当の操作を行った場合、制御部１０が対応する動作を行う。
【００７４】
通常ワンセグ受信モードで、図８の「１」〜「＃」までのキー入力（短押し）があった場合、制御部１０は、ＴＳ識別情報８２に予め登録されているリモコンキー番号と物理チャンネルから、押下されたキーに対応する物理チャンネルに対応する物理周波数を取得し、この値をフロントエンド部３０に設定する。図８では、ＴＳ識別情報８２にリモコンキー「３」「＊」「０」に対応する放送局が登録されていない場合を例としているため、通常ワンセグ受信モードでは、これらのキー短押しによる選局は行われない。
【００７５】
「→」「←」キー（左右キー）短押しはＵＰ／ＤＯＷＮ選局に割り当てられる。ＵＰ／ＤＯＷＮ選局には、リモコンキー番号のＵＰ／ＤＯＷＮ選局を行う場合と、物理チャンネル番号のＵＰ／ＤＯＷＮ選局を行う場合があるが、図８では、後者のＵＰ／ＤＯＷＮ選局を例としており、「→」キー短押しが行われると、制御部１０は、現在受信中の物理チャンネル＋１の物理チャンネル（現在受信中の物理チャンネルが最大物理チャンネルの場合は最小物理チャンネル）に対応する物理周波数をフロントエンド部３０に設定する。「←」キー短押しが行われると、制御部１０は、現在受信中の物理チャンネル−１の物理チャンネル（現在受信中の物理チャンネルが最小物理チャンネルの場合は最大物理チャンネル）に対応する物理周波数をフロントエンド部に設定する。
【００７６】
「→」「←」キー（左右キー）が長押しされた場合、制御部１０は、ぞれぞれ＋方向、−方向に物理チャンネルを変化させ、その物理チャンネルに対応する物理周波数をフロントエンド部３０に設定し、受信可能な放送局を検索する。
【００７７】
ワンセグ用バックエンド部３５から有効なＰＳＩ／ＳＩが入力されて、制御部１０がその物理チャンネルで受信可能な放送局があると判断できた場合、制御部１０はワンセグ用バックエンド部３５に映像、音声等のＰＩＤの設定を行い、視聴者に放送を提示する。
【００７８】
また、本実施形態では、ＴＶ起動時に使用するキーを、通常ワンセグ受信モード時に長押しすることで、手動でセグメント受信モードに切り替えることを可能としている。これは、セグメント分離放送が行われているエリアで、セグメント０の放送波の受信圏外で、かつセグメント０以外の受信圏内に位置する視聴者が、左右キーの短押しにより、セグメント分離放送が行われている物理チャンネルを選局した場合に、セグメント受信モードに切替える手段を提供するためである。
【００７９】
図５で説明したように、受信ＴＳのＰＳＩ／ＳＩを制御部１０が解析（ステップＳ１４）し、受信ＴＳがワンセグ連結放送又はセグメント分離放送と判断できた場合は（ステップＳ１６；Ｙｅｓ）、画面構成が図７（ａ）から図７（ｂ）のように変化するが、同時に制御部１０は、キー操作も図８の「セグメント受信モードでの動作」のように変更し、視聴者が入力部７０に対して行う操作に対して以下のような動作を行う。
【００８０】
「０」〜「９」までの数字キーと「＊」「＃」キーの短押しは、通常受信モードではチャンネルの選局動作となるが、セグメント受信モードではセグメントの選局動作となり、制御部１０は、視聴者が押下したキーに対応するセグメントの、受信中の物理チャンネルにおける物理周波数をフロントエンド部３０に設定する。この他「→」「←」キー短押し、長押しによる、ＵＰ／ＤＯＷＮ選局や、チャンネルシークの動作も、通常受信モードではチャンネル単位での動作となるが、セグメント受信モードではセグメント単位での動作となる。また、ＴＶ起動時に使用するキーを、セグメント受信モード時に長押しすることで、手動で通常ワンセグ受信モードに切替えることができる。通常受信モードとセグメント受信モードでは、キー操作により変化するフロントエンド部３０へ設定する周波数の単位が変更される。
【００８１】
以上のように、本実施形態では通常ワンセグ受信モードと、セグメント受信モードとを自動で切替えるが、視聴者の利便性のため、何らかのキー操作により、手動でのモード切替も可能とする。通常ワンセグ受信モードからセグメント受信モードへの手動での切替は、前述のように、セグメント分離放送が行われているエリアで、セグメント０の放送波の受信圏外で、かつセグメント０以外の受信圏内に位置する視聴者が、左右キーの短押しにより、セグメント分離放送が行われている物理チャンネルを選局した場合や、受信中のセグメントで放送圏外となった視聴者が、他のセグメントでの放送波の有無を調べるために、図５の選局ＵＩ変更（ステップＳ２６）の後に行い、受信圏外でもセグメント受信モードでのキー入力（ステップＳ３０）を行うときの使用が想定される。セグメント受信モードから通常ワンセグ受信モードへの手動切替は、ワンセグ連結放送やセグメント分離放送受信中（ステップＳ２８）の視聴者が、通常のワンセグ放送を受信する場合に選局ＵＩを変更し、通常ワンセグ受信モードでのキー入力（ステップＳ２０）を行うときの使用が想定される。
【００８２】
また、視聴者の設定により、本実施形態で説明した自動切換えを行わずに、手動切替でのみ受信モードを切替える手段を備えることとしてもよい。
【００８３】
［１．６  変形例］
上述した実施形態では、制御部１０がセグメント受信モードに切替える判断をnetwork_idにより行う例を記載したが、この判断はＴＳ識別情報８２に記憶されている、service_id、transport_stream_id、ＴＳ名、サービス名等、既存の通常ワンセグ放送においてユニークに割り当てられている値で行うことも可能である。
【００８４】
また、この判断は、受信ＴＳの上記network_id等の値が通常ワンセグ放送でとりうる値と異なる値を持っていることで行うことも可能である。
【００８５】
さらに、ワンセグ連結放送やセグメント分離放送のＰＳＩ／ＳＩのフォーマットや、各種記述子の運用、放送波の変調方式やＴＭＣＣ情報（変調波の伝送制御に関する信号）に通常ワンセグ放送と異なる点がある場合には、このＰＳＩ／ＳＩのフォーマットや各種記述子からの記載内容、制御部１０がフロントエンド部３０より取得する放送波の変調方式やＴＭＣＣ情報等により、判断することも可能である。
【００８６】
また、上述した実施形態では、受信ＴＳのnetwork_id等の識別情報を、ＴＳ識別情報８２に記憶されている全国の通常ワンセグ放送のどの識別情報にも一致しないことで、受信ＴＳがワンセグ連結送信又はセグメント分離放送と判断している。これは、セグメント分離放送は局所的に行われる、すなわち数が多いと考えられることに起因する。
【００８７】
この場合、仮にnetwork_idがユニークに振られていたとしても、総てのnetwork_idを端末に登録するのは困難なこともある。本方式によれば、その際でも容易に通常ワンセグ放送か否かの識別が可能である。ただし識別の方法はこれに限らず、ワンセグ連結送信又はセグメント分離放送の識別情報が予め何らかの手段で登録できている場合には、それらの識別情報と一致したときにセグメント受信モードに切替えることも可能である。例えば、無線部２０を介してメール等の手段でワンセグ連結放送やセグメント分離放送の識別情報が通知された場合に、それを制御部１０がＴＳ識別情報８２に登録し、制御部１０は受信ＴＳのＰＳＩ／ＳＩ解析時（ステップＳ１４）に、この登録された識別情報と一致した場合に選局ＵＩをセグメント受信モードに変更するような処理（ステップＳ２２）が考えられる。
【００８８】
また、図７の表示、特にチャンネル番号表示においては、セグメント受信モードで、セグメント番号を表示する場合は、チャンネル番号表示欄（図７（ａ）（ｂ）の左下の「６」の箇所）及び物理チャンネル番号表示欄（同じく右下の「２２」の箇所）のうち一方の表示をセグメント番号に変更することにより、チャンネルを示す情報(チャンネル番号若しくは物理チャンネル番号)を表示しながら、新たな表示領域を設けることなく同時にセグメント番号を表示できるという効果がある。
【００８９】
上記の場合において、チャンネル番号表示欄にセグメント番号を表示することにより、図８に示すキー操作の「１」短押し〜「＃」短押しの動作変更と、このチャンネル番号とセグメント番号との表示変更を同期させて行うと、視聴者はチャンネル番号・セグメント番号のどちらを操作するときも、この同一のチャンネル番号表示欄を見ることで操作内容を確認できるという効果がある。
【００９０】
また、物理チャンネル番号表示欄にセグメント番号を表示することにより、視聴者はここに着目するだけでセグメント単位の放送（セグメント分離放送若しくはワンセグ連結送信放送）と、チャンネル単位の放送とを識別することができ、かつ、受信中のセグメント番号若しくは物理チャンネル番号の情報も得ることができるという効果がある。特に、日本の地上デジタル放送（セグメント番号が０〜１２、物理チャンネルが１３チャンネル〜６２チャンネル）のように数字部分において両者が重複していない場合、その重複していない数字部分を表示することにより必ず識別が可能であるという効果がある。
【００９１】
［２．第２実施形態］
つづいて第２実施形態について説明する。第１実施形態では、通常ワンセグ受信モードとセグメント受信モードとのユーザーインターフェース切替について説明したが、第１実施形態の方法では、図４（ｃ）のような放送が行われているエリアでは、受信中のセグメントが圏外になっても、同じチャネルで他の送信局から送信されている他のセグメントについては圏外になっていないことがありうる。この場合、第１実施形態のように、受信圏外により通常ワンセグ受信モードへ切替えると、実際は放送エリア内であるのに、通常ワンセグ受信モードに切り替わってしまうことになる。
【００９２】
そこで、第２実施形態では、このような状態を回避し、図４（ｃ）のような放送が行われているエリアで、エリア外に出たときに、通常ワンセグ受信モードに切替える例について説明する。
【００９３】
［２．１  処理の流れ］
図９は、図４（ｃ）のような放送に対応して、セグメント受信モードから通常ワンセグ受信モードに切替える処理のフローチャートである。第２実施形態における携帯電話１の処理は、第１実施形態における携帯電話１の処理を示した図５において、ステップＳ２６の処理を、ステップＳ５０〜Ｓ５８にて置き換えた処理で実行される。したがって、本実施形態については、この変更部分について説明を行う。尚、機能構成についても、第１実施形態（図２）と同様であり、その説明を省略する。
【００９４】
図９において、セグメント受信モードで受信圏外となった場合（ステップＳ２４；Ｙｅｓ）、制御部１０は、表示部６０に「受信できません。他のセグメントの受信可否を確認しますか？」というメッセージを表示させ、視聴者に圏外確認を行うか否かの選択を促す（ステップＳ５０）。
【００９５】
視聴者が所定のキー操作により圏外確認を行わない選択をした場合（ステップＳ５０；Ｎｏ）、第１実施形態と同様に通常ワンセグ受信モードに切り替え、ユーザーインターフェースを通常ワンセグ受信モードに切り替える（ステップＳ５８）。そして、ステップＳ３０に処理を移行する。
【００９６】
他方、圏外確認において視聴者が所定のキー操作により圏外確認を行う選択をした場合（ステップＳ５０；Ｙｅｓ）、セグメントシーク処理が実行される（ステップＳ５２）。
【００９７】
ここで、セグメントシーク処理の詳細について図１０を参照して説明する。制御部１０がフロントエンド部３０に対し、受信圏外となった現在受信中のセグメント＋１のセグメント（受信中セグメントが１２だった場合は０）の受信周波数を設定し、選局する（ステップＳ７０）。
【００９８】
新たに受信開始したセグメント（ステップＳ７０において選局したセグメント）でＰＳＩ／ＳＩが受信（取得）できれば、そのセグメント番号を記憶する（ステップＳ７６）。また、選局時には、同時にタイマーをスタートさせる（ステップＳ７２）。
【００９９】
ここで、受信セグメントによっては、ＰＳＩ／ＳＩを受信できずにタイムアウトする場合もあるが（ステップＳ７４；Ｎｏ→ステップＳ７８）、タイムアウトした場合と、ＰＳＩ／ＳＩが受信できた場合には、そのセグメントでの受信を終了する。次に全セグメント受信完了したかのチェックを行い（ステップＳ８０）、全セグメント受信完了なら（ステップＳ８０；Ｙｅｓ）、セグメントシーク処理を終了する。また、未受信セグメントがある場合には（ステップＳ８０；Ｎｏ）、再びフロントエンド部３０に対し、現在受信中のセグメント＋１のセグメント（受信中セグメントが１２だった場合は０）の受信周波数を設定する（ステップＳ７０）。
【０１００】
セグメントシーク処理終了後、制御部１０は受信可能なセグメントが存在したかどうかを判断する（ステップＳ５４）。ここで、存在しなかった場合は（ステップＳ５４；Ｎｏ）、通常ワンセグ受信モードに変更する（ステップＳ５８）。他方、存在した場合は（ステップＳ５４；Ｙｅｓ）、視聴者に受信可能なセグメントを提示し、受信可能なセグメントへの選局を促す（ステップＳ５６）。
【０１０１】
受信可能なセグメントを視聴者に提示する際には、ＮＩＴから取得したＴＳ名や、ＳＤＴから取得したサービス名を、セグメント番号とともに提示する方法があるが、セグメントシーク時にＥＩＴの取得まで行っていれば、これらの情報に加えて、現在放送中の番組名、又は今後放送予定の番組名を視聴者に提示することが可能である。
【０１０２】
本実施形態によれば、実際は放送エリア内であるのに、通常ワンセグ受信モードに切り替わってしまうことを回避できる。
【０１０３】
［２．２  変形例］
なお、上述した実施形態では、セグメントシーク動作時のタイマーのタイムアウト時間は、ＰＳＩ／ＳＩの受信不可タイムアウトとしているが、これ以外にも例えば、当該セグメントに物理波が存在する（フロントエンド部３０のチューナーがロックする）等の条件をタイムアウト時間に加えることも可能である。この条件をタイムアウト条件に加えた場合、物理波がない場合は、ＰＳＩ／ＳＩの受信不可タイムアウトにより短時間の物理波検出タイムアウトにより、次のセグメントに移行し、物理波が存在して、ＰＳＩ／ＳＩが取得できない場合は、ＰＳＩ／ＳＩの受信不可タイムアウトにより、次のセグメントに移行する。
【０１０４】
このようにすることで物理波が存在しないセグメントでの受信時間を短縮できるので、セグメントシークに要する時間を短縮することができる。また、セグメントシークにおいては全セグメントを受信することが目的なので、受信するセグメントの順番には拠らない。図４（ａ）に示したように、セグメント番号は周波数順には並んでいないため、セグメントシーク中に図７（ｂ）のチャンネル番号表示欄Ｒ２０８の表示を変更していく場合には、セグメントシークを周波数順に行うと表示されるセグメント番号は、数字順とならない。セグメントシークをセグメント番号順に行うことで、周波数順に物理周波数を遷移させた場合に視聴者が持ちうる表示上の違和感をなくすことができる。
【０１０５】
また、上述した実施形態では、セグメントシーク処理で全セグメントの受信を行い、受信可能なセグメントを視聴者に提示する方法を記載したが、セグメントシーク処理で最初に見つかった受信可能なセグメントの視聴を自動的に開始してもよい。これにより、全セグメントをシークする場合に比べて、次の番組の視聴までの間隔を短く抑えることができる。この場合は、そのセグメントで受信不可となった場合は、その都度セグメントシーク処理を行い、全セグメントでの受信不可が確認された時点で、通常ワンセグ視聴モードに切替えることになる。
【０１０６】
また、上述した実施形態において、通常ワンセグ視聴モードへの切り換えとともに、さらに通常ワンセグ視聴モードにおいても同様に受信できるチャンネルを探し、最初に受信できるチャンネルを発見したらそのチャンネルの番組の視聴を開始しても良い。これにより、セグメントとチャンネルの違いを問わず、シームレスに次に表示できる番組を探すことができる。
【０１０７】
この際、新たなチャンネルの選択においてはシークではなく、チャンネルリストにおいてそのチャンネルの次若しくは前に選択することが指定されているチャンネルを選択し番組を表示するなど、予め決まったチャンネルを表示しても良い。特にこの予め決まったチャンネルが、セグメント単位の放送など局地的な放送に用いられることが想定されるものではなく、通常のワンセグ放送であれば、より広い範囲で受信できることが期待されるため、表示できる可能性が増すという効果がある。
【０１０８】
［３．変形例］
上述した実施形態では本発明を携帯電話に利用した例を記載したが、本発明はワンセグ放送受信可能で、キーやタッチパネル等のユーザーインターフェースを持つ機器であれば、他の機器に利用してもよい。例えば、パソコン、携帯端末、カーナビゲーションシステム等が挙げられる。また、上述した実施形態では「キー」と記載したが、キーは視聴者が操作するものであればよく、前記実施形態のようにキー1つに物理的な部材（ボタン）１つを割り当てて実現しても良いし、タッチパネル上に複数の操作対象を表示することにより実現しても良い。
【０１０９】
また、上述した実施形態において、日本の地上デジタル放送のワンセグ放送、及びワンセグ放送から派生したセグメント単位の放送を例にして説明したが、本発明はこれに限らず、隣接する放送帯域間の周波数幅が異なる放送方式を受信可能な受信機に適用可能である。したがって、ワンセグ放送の代わりに通常の地上デジタル放送を受信する受信機や、地上デジタル放送、ワンセグ放送、セグメント分離放送等を受信する受信機においても本発明を適用可能である。
【０１１０】
また、受信機のフロントエンド部３０が、複数のセグメントでひとつのＴＳを送出する放送方式を受信可能である場合には、地上デジタル音声放送や、今後サービス開始が予定されるＩＳＤＢ−Ｔｍｍ方式の放送を受信する受信機においても本発明を適用可能である。
【図面の簡単な説明】
【０１１１】
【図１】第１実施形態における携帯電話の概略を示す図である。
【図２】第１実施形態における携帯電話の機能構成を示す図である。
【図３】第１実施形態におけるＴＳ識別情報のデータ構成の一例を示す図である。
【図４】セグメント放送に関して説明をするための図である。
【図５】第１実施形態における携帯電話の処理の流れを説明する動作フローである。
【図６】ＴＳパケットについて説明するための図である。
【図７】第１実施形態における表示画面の一例を示す図である。
【図８】第１実施形態におけるチャンネルテーブルのデータ構成の一例を示す図である。
【図９】第２実施形態における携帯電話の処理の流れを説明する動作フローである。
【図１０】第２実施形態におけるセグメントシーク処理を説明する動作フローである。
【符号の説明】
【０１１２】
１  携帯電話
１０  制御部
２０  無線部
２２  通信用アンテナ
２５  通信制御部
３０  フロントエンド部
３２  地上デジタル放送受信用アンテナ
３５  ワンセグ用バックエンド部
４０  音声復号部
４５  スピーカ
５０  音声符号化部
５５  マイク
６０  表示部
７０  入力部
８０  記憶部
８２  ＴＳ識別情報
８４  チャンネルテーブル
【図１】
0005033056.tif 000002
【図２】
0005033056.tif 000003
【図３】
0005033056.tif 000004
【図４】
0005033056.tif 000005
【図５】
0005033056.tif 000006
【図６】
0005033056.tif 000007
【図８】
0005033056.tif 000008
【図９】
0005033056.tif 000009
【図１０】
0005033056.tif 000010
【図７】
0005033056.tif 000011